(57)【要約】【課題】消火用ヘッドが配管に取り付けられている状態であっても消火用ヘッドに取り付けることができ、消火用ヘッドへの付属品の取り付けを容易に行うことができる消火用ヘッドの付属品取付用アダプタを得る。【解決手段】付属品取付用アダプタ１を複数の分割ピース１０を環状に連結してなる連結アダプタ１により構成し、該連結アダプタ１を、内壁には消火用ヘッドの被挟持部への挟持部１４を有し、外壁には付属品取付部１２を有するものとする。【選択図】図１
2007229342.tif 000002
【特許請求の範囲】
【請求項１】
消火用ヘッドの付属品取付用アダプタであって、該アダプタを複数の分割ピースを環状に連結してなる連結アダプタにより構成し、該連結アダプタを、内壁には消火用ヘッドの被挟持部への挟持部を有し、外壁には付属品用取付部を有するものとしたことを特徴とする消火用ヘッドの付属品取付用アダプタ。
【請求項２】
該連結アダプタを構成する該分割ピースは２つであることを特徴とする請求項１記載の消火用ヘッドの付属品取付用アダプタ。
【請求項３】
該分割ピースは同じ型から成型された同一形状のものであることを特徴とする請求項１又は２記載の消火用ヘッドの付属品取付用アダプタ。
【請求項４】
該分割ピースは、一方の端面に連結凸部を、他方の端面に連結凹部を有するものであることを特徴とする請求項１乃至３の何れかに記載の消火用ヘッドの付属品取付用アダプタ。
【請求項５】
該付属品取付部はねじ部又は段部であることを特徴とする請求項１乃至４の何れかに記載の消火用ヘッドの付属品取付用アダプタ。
【請求項６】
該付属品取付部は条数が偶数の多条ねじ部であることを特徴とする請求項１乃至４の何れかに記載の消火用ヘッドの付属品取付用アダプタ。
【請求項７】
該多条ねじ部は２条ねじ部であることを特徴とする請求項６記載の消火用ヘッドの付属品取付用アダプタ。
【発明の詳細な説明】
【技術分野】
【０００１】
この発明は、消火用ヘッド、特にフレーム型消火用ヘッドに付属品、例えば保護カバーやシーリングプレート等を取り付けるのに用いられるアダプタに関する。
【背景技術】
【０００２】
消火用ヘッド（スプリンクラヘッド）には様々なものがあり、それぞれ付属品、例えば保護カバー（ヘッドプロテクター）やシーリングプレート等を取り付けることができる様になっている。
【０００３】
例えば、特開平１０−２７２２０１号公報（特許文献１）には、フラッシュ型スプリンクラヘッドにおいて、その雄ねじ部８ａにヘッドプロテクタ９（図２）、又はシーリングプレート２８（図４）を下方からねじ込んで取り付けることが開示されている。
【０００４】
【特許文献１】特開平１０−２７２２０１号公報
【０００５】
一方、フレーム型スプリンクラヘッドにおいては、デフレクタの露出やフレームの拡径等の構造上の理由から、フラッシュ型スプリンクラヘッドの様に下方からヘッド基部のねじ部分に付属品を直接取り付けるということができないため、アダプタを介して付属品を間接的に取り付けている。
【０００６】
従来の付属品取付用のアダプタとしては、例えば、図８に示す様な、内周にはヘッドＤ上部のねじ部分Ｅと螺合するねじ部分Ｂを有し、外周には付属品Ｆと螺合するねじ部分Ｃを有する環状のアダプタＡの如きものが用いられていた。このアダプタＡはヘッドＤが配管に取り付けられている状態ではヘッドＤに取り付けることができないので、ヘッドＤが配管に取り付けられていない状態でアダプタＡをヘッドＤに取り付けなければならない。従って、このアダプタＡを利用してヘッドＤに付属品Ｆを取り付ける際には、先ずヘッドＤが配管に取り付けられていない状態でアダプタＡをヘッドＤに取り付け、その後に、ヘッドＤを配管に取り付け、そして付属品ＦをアダプタＡに取り付けることとなる。
【発明の開示】
【発明が解決しようとする課題】
【０００７】
前記従来のアダプタを用いて付属品をヘッドに取り付けるには、ヘッドが配管に取り付けられていない状態でアダプタをヘッドに取り付けなければならないので、ヘッドを配管に取り付ける前にアダプタをヘッドに取り付けなければならず、手順に決まりがあるので作業が煩雑であり、又既設のヘッドに付属品を後付けする場合は、一旦ヘッドを配管から取り外さなければならないので作業がより煩雑である。
【０００８】
この発明は、前記事情に鑑み、消火用ヘッドの付属品取付用アダプタであって、消火用ヘッドが配管に取り付けられている状態であっても消火用ヘッドに取り付けることができ、消火用ヘッドへの付属品の取り付けを容易に行うことができる消火用ヘッドの付属品取付用アダプタを得ることを目的とする。
【課題を解決するための手段】
【０００９】
前記目的を達成するこの発明について述べれば、それは、該アダプタを複数の分割ピースを環状に連結してなる連結アダプタにより構成し、該連結アダプタを、内壁には消火用ヘッドの被挟持部への挟持部を有し、外壁には付属品取付部を有するものとしたことを特徴とする消火用ヘッドの付属品取付用アダプタである。
【００１０】
前記この発明において、該連結アダプタを構成する該分割ピースは２つであることを特徴とする消火用ヘッドの付属品取付用アダプタである。
【００１１】
又、前記この発明において、該分割ピースは同じ型から成型された同一形状のものであることを特徴とする消火用ヘッドの付属品取付用アダプタである。
【００１２】
又、前記この発明において、該分割ピースは、一方の端面に連結凸部を、他方の端面に連結凹部を有するものであることを特徴とする消火用ヘッドの付属品取付用アダプタである。
【００１３】
又、前記この発明において、該付属品取付部はねじ部又は段部であることを特徴とする消火用ヘッドの付属品取付用アダプタである。
【００１４】
又、前記この発明において、該付属品取付部は条数が偶数の多条ねじ部であることを特徴とする消火用ヘッドの付属品取付用アダプタである。
【００１５】
又、前記この発明において、該多条ねじ部は２条ねじ部であることを特徴とする消火用ヘッドの付属品取付用アダプタである。
【発明の効果】
【００１６】
この発明においては、アダプタは複数の分割ピースを連結してなる連結アダプタにより構成しているので、消火用ヘッドの周囲から分割ピースを連結させつつアダプタを取り付けることができ、消火用ヘッドが配管に取り付けられている状態であっても、アダプタを消火用ヘッドに取り付けることができる。
【００１７】
従って、この発明によれば、消火用ヘッドにアダプタを介して付属品を取り付ける際に、消火用ヘッドの配管への取り付けとアダプタの消火用ヘッドへの取り付けの手順に決まりがないので、又消火用ヘッドが既設のものであっても消火用ヘッドを取り外す必要がないので、消火用ヘッドの新設、既設何れの場合でも、消火用ヘッドへの付属品の取り付けを容易に行うことができる。
【発明を実施するための最良の形態】
【００１８】
この発明の実施の形態を付属品取付用アダプタを構成する分割ピースが２つの場合を例に図１乃至６に基づき説明する。尚、図１はこの発明の付属品取付用アダプタにおける分割ピースの正面図、図２は同上の背面図、図３は同上の右側面図、図４は図３のＡ−Ａ線矢視断面図、図５は同上の分割ピース２つを連結する際の状態を示す正面図、図６はこの発明の付属品取付用アダプタを利用して消火用ヘッドにシーリングプレートを装着した状態を示す断面図、図７はこの発明の付属品取付用アダプタを利用して消火用ヘッドに保護カバーを装着した状態を示す断面図である。
【００１９】
本実施の形態において、環状の付属品取付用アダプタ１は２つの半円環状の分割ピース１０，１０をそれぞれの端面を向かい合わせに連結することにより構成される。分割ピース１０，１０は同一の型から成形された同一形状のものとしており、これにより、製造コスト（金型代等）を抑えることができ、又、連結の際に分割ピースの組み合わせに選択を要しないので、連結作業を容易に行うことができる。
【００２０】
半円環状の分割ピース１０は、図１乃至４に詳細が示される様に、その外壁１１に付属品取付用のねじ部１２、その内壁１３に消火用ヘッドにおけるフランジ部を挟持する挟持部１４、その一方の端面に連結凸部の一例としてのフック付きの係合凸部１５、その他方の端面に連結凹部の一例としての係合凹部１６を有している。
【００２１】
分割ピース１０において、ねじ部１２は、二条ねじであり、開始位置を１８０度ずらして二本のねじ山を有している。分割ピース１０はそれを２つ、端面を向かい合わせに連結することで連結アダプタ１を構成するものであるが、２条ねじとすることで、一方の分割ピース１０におけるねじ部１２の２本のねじ山は連結される他方の分割ピース１０におけるねじ部１２の２本のねじ山と一連のねじ山を形成できる様になっている。即ち、分割ピース１０のねじ部１２を２条ねじにすることにより、連結アダプタ１の外壁全周に亘る一連の付属品取付用ねじ部を形成することができる様になっている。尚、２条以外の条数が偶数の多条ねじ部としても、連結アダプタ１の外壁全周に亘る一連の付属品取付用ねじ部を形成することができる。
【００２２】
更に分割ピース１０において、挟持部１４は、内壁１３にその周方向に沿って延設されており、袋状を形成する如く、その上下に消火用ヘッドにおける被挟持部を上下方向から挟持する挟持片１４ａ，１４ｂを有している。この挟持部１４の形状は、消火用ヘッドの被挟持部の形状に応じて適宜決定される。本実施の形態においては、フレーム型消火用ヘッドのアーム連結部に設けられるフランジ部の形状に応じたものとなっている。
【００２３】
尚、係合凸部１５はフックなしのものでもよいが、フック付きのものとすることで、分割ピース１０の連結状態をフックにより保持しつつ、取り付け作業を行うことができるという利点を得ることができる。
【００２４】
分割ピース１０は、前記の如く構成され、それを２つ図５に示す様にしてそれぞれの端面を向かい合わせに連結することで、付属品取付用連結アダプタ１を構成することができる。従って、この連結アダプタ１によれば、消火用ヘッドに、その側方から分割ピース１０の２つを連結させつつ、消火用ヘッドに連結アダプタ１を取り付けることができ、消火用ヘッドが配管に取り付けられている状態であっても、連結アダプタ１を消火用ヘッドに取り付けることができる。
【００２５】
図６は、（ａ），（ｂ）何れも、連結アダプタ１を利用してフレーム型消火用ヘッド２にシーリングプレート５を装着した状態を示し、図７は、（ａ），（ｂ）何れも、連結アダプタ１を利用してフレーム型消火用ヘッド２に保護カバー６を装着した状態を示している。尚、図６及び７の分割ピース１０は係合凸部１５がフックなしの場合を示している。
【００２６】
図６及び７に示される様に、連結アダプタ１は、分割ピース１０，１０が、その挟持部１４，１４により消火用ヘッド２のアーム３の連結部に設けられるフランジ部４を挟持する如く消火用ヘッド２にその側方から装着され、係合凸部１５，１５と係合凹部１６，１６により互いに係合連結されることで、消火用ヘッド２に装着され、その外壁の付属品取付用ねじ部１２，１２にシーリングプレート５又は保護カバー６が装着されている。
【００２７】
図６及び７は、何れも、消火用ヘッド２の天井Ｔへの取り付け位置を異にする２つの態様を（ａ）と（ｂ）に分けて示しており、（ａ）が最上位置を、（ｂ）が最低位置を示している（但し図７（ｂ）は天井なしの場合を示している）。連結アダプタ１によれば、ねじ部１２，１２とシーリングプレート５の内壁ねじ部５ａ又は保護カバー６の内壁ねじ部６ａとの螺合範囲を調整することで、消火用ヘッド２が（ａ）の最上位置から（ｂ）の最低位置までの何れの位置にあっても、消火用ヘッド２に対して最適の位置でシーリングプレート５又は保護カバー６を取り付けることができる。特に、多条ねじ部として２条ねじ部を設ける様にすると、シーリングプレート５又は保護プレート６等の付属品の微妙な位置調整が可能であり、又、単位ねじ山（ねじ溝）当たりへの付属品の重量負荷が分散され、更に、噛み合わせが多くなることから、地震等の外力での位置ズレを防止することができる。尚、連結アダプタ１のねじ部１２，１２に代えて段部を設け、又シーリングプレート５の内壁ねじ部５ａ又は保護カバー６の内壁ねじ部６ａに代えて前記段部に係止する係止段部を設ける様にしても、前記最適の位置での取り付けを可能とすることができる。
【図面の簡単な説明】
【００２８】
【図１】この発明の付属品取付用アダプタにおける分割ピースの正面図である。
【図２】同上の背面図である。
【図３】同上の右側面図である。
【図４】図３のＡ−Ａ線矢視断面図である。
【図５】同上の分割ピース２つを連結する際の状態を示す正面図である。
【図６】（ａ），（ｂ）何れも、この発明の付属品取付用アダプタを利用して消火用ヘッドにシーリングプレートを装着した状態を示す断面図である。
【図７】（ａ），（ｂ）何れも、この発明の付属品取付用アダプタを利用して消火用ヘッドに保護カバーを装着した状態を示す断面図である。
【図８】従来例を示す断面図である。
【符号の説明】
【００２９】
１      付属品取付用アダプタ
２      消火用ヘッド
３      アーム
４      フランジ部
５      シーリングプレート
６      保護カバー
１０    分割ピース
１１    外壁
１２    ねじ部
１３    内壁
１４    挟持部
１４ａ  挟持片
１４ｂ  挟持片
１５    係合凸部
１６    係合凹部
【図１】
2007229342.tif 000003
【図２】
2007229342.tif 000004
【図３】
2007229342.tif 000005
【図４】
2007229342.tif 000006
【図５】
2007229342.tif 000007
【図６】
2007229342.tif 000008
【図７】
2007229342.tif 000009
【図８】
2007229342.tif 000010